(57)【要約】調節可能マウスは、平坦表面上に静置するように構成される、平坦底部と、湾曲上部とを含む、基部部分と、ユーザの手にフィットするように輪郭が付けられるように構成される、本体と、基部部分の湾曲上部と噛合するように構成される、湾曲底部とを含む、パームレスト部分と、パームレスト部分を所望の角度の傾斜において基部部分に固着させるように構成される、機構とを含む。調節可能マウスはさらに、基部部分に結合される、親指調節アセンブリを含む。親指調節アセンブリは、サムレスト部分を後退位置と延在位置との間で移動させるように構成される。
2020531992.tif 000002
【特許請求の範囲】
【請求項１】
調節可能マウスであって、
基部部分であって、前記基部部分は、平坦表面上に静置するように構成される平坦底部と、湾曲上部とを含む、基部部分と、
パームレスト部分であって、前記パームレスト部分は、ユーザの手にフィットするように輪郭が付けられるように構成される本体と、前記基部部分の湾曲上部と噛合するように構成される湾曲底部とを含む、パームレスト部分と、
機構であって、前記機構は、前記パームレスト部分を所望の角度の傾斜において前記基部部分に固着させるように構成される、機構と
を備える、調節可能マウス。
【請求項２】
前記機構は、２１度の示される最小角度〜３６度の最大角度の前記パームレスト部分と前記基部部分との間の傾斜角度を達成するように構成される、請求項１に記載の調節可能マウス。
【請求項３】
前記機構は、前記パームレスト部分の湾曲底部内に形成される少なくとも１つのスロットと、少なくとも１つのスライドアンカと、少なくとも１つのスライドレールとを含み、前記少なくとも１つのスライドレールは、前記少なくとも１つのスロット内に位置付けられる、前記請求項のいずれかに記載の調節可能マウス。
【請求項４】
前記機構はさらに、前記少なくとも１つのスライドアンカを前記少なくとも１つのスライドレールに締結させ、前記パームレスト部分の底部を前記少なくとも１つのスライドアンカと前記少なくとも１つのスライドレールとの間に圧着するねじ山付き締結具を含む、請求項３に記載の調節可能マウス。
【請求項５】
前記機構は、２つのスロットと、２つの個別のスライドアンカおよびスライドレールとを含む、請求項３および４のいずれかに記載の調節可能マウス。
【請求項６】
前記パームレスト部分の本体は、前記ユーザが前記調節可能マウスを動作させるために操作する少なくとも１つのフィンガボタンおよび／またはスクロールホイールを含む、前記請求項のいずれかに記載の調節可能マウス。
【請求項７】
前記基部部分に結合される親指調節アセンブリをさらに備える、前記請求項のいずれかに記載の調節可能マウス。
【請求項８】
前記親指調節アセンブリは、サムレスト部分を後退位置と延在位置との間で移動させるように構成される、請求項７に記載の調節可能マウス。
【請求項９】
前記親指調節アセンブリは、前記サムレスト部分の本体から延在するシャフトを含み、前記シャフトは、前記基部部分によって結合され、前記サムレスト部分を前記パームレスト部分に向かって移動させ、前記パームレスト部分から離れるように移動させ、前記基部部分に対して上下に移動させる、請求項７および８のいずれかに記載の調節可能マウス。
【請求項１０】
前記シャフトは、ハブ内に摩擦受容され、伸縮自在方式において、前記サムレスト部分を延在および後退させる、請求項９に記載の調節可能マウス。
【請求項１１】
前記シャフトは、前記基部部分から延在する枢動支柱と、前記枢動支柱を中心として回転するように構成されるブラケットとによって、前記基部部分に結合され、前記シャフトは、前記基部部分に対して枢動するように構成される、請求項９および１０のいずれかに記載の調節可能マウス。
【請求項１２】
前記枢動支柱は、前記基部部分の湾曲上部から延在する、請求項１１に記載の調節可能マウス。
【請求項１３】
前記枢動支柱は、円筒形シャフトと、前記円筒形シャフトをその中に摩擦受容するように構成される円筒形ハブとを含み、前記円筒形シャフトは、一端において、前記ブラケットに固着され、他端は、前記円筒形ハブ内に摩擦受容され、前記円筒形ハブは、前記基部部分の湾曲上部上に搭載される、請求項１１および１２のいずれかに記載の調節可能マウス。
【請求項１４】
前記円筒形シャフトは、前記ブラケットに固着され、前記円筒形ハブおよび前記円筒形シャフトが、前記枢動支柱に対して回転することを可能にする、請求項１３に記載の調節可能マウス。
【請求項１５】
前記シャフトは、ボール継手によって、前記サムレスト部分に固着される、請求項９−１４のいずれかに記載の調節可能マウス。
【請求項１６】
調節可能マウスであって、
基部部分と、
前記基部部分に結合されるパームレスト部分であって、前記パームレスト部分は、所望の角度の傾斜において前記基部部分に固着されるように構成される、パームレスト部分と、
前記基部部分に結合される親指調節アセンブリであって、前記親指調節アセンブリは、サムレスト部分を後退位置と延在位置との間で移動させるように構成される、親指調節アセンブリと
を備える、調節可能マウス。
【請求項１７】
前記親指調節アセンブリは、前記サムレスト部分の本体から延在するシャフトを含み、前記シャフトは、前記パームレスト部分によって結合され、前記サムレスト部分を前記パームレスト部分に向かって移動させ、前記パームレスト部分から離れるように移動させ、前記基部部分に対して上下に移動させる、請求項１６に記載の調節可能マウス。
【請求項１８】
前記シャフトは、前記基部部分から延在する枢動支柱と、前記枢動支柱を中心として回転するように構成されるブラケットとによって、前記基部部分に結合され、前記シャフトは、前記基部部分に対して枢動するように構成される、請求項１７に記載の調節可能マウス。
【請求項１９】
前記枢動支柱は、前記基部部分の湾曲上部から延在する、請求項１８に記載の調節可能マウス。
【請求項２０】
前記枢動支柱は、円筒形シャフトと、前記円筒形シャフトをその中に摩擦受容するように構成される円筒形ハブとを含み、前記円筒形シャフトは、一端において、前記ブラケットに固着され、他端は、前記円筒形ハブ内に摩擦受容され、前記円筒形ハブは、前記基部部分の湾曲上部上に搭載される、請求項１８および１９のいずれかに記載の調節可能マウス。
【請求項２１】
前記円筒形シャフトは、前記ブラケットに固着され、前記円筒形ハブおよび前記円筒形シャフトが、前記枢動支柱に対して回転することを可能にする、請求項２０に記載の調節可能マウス。
【請求項２２】
前記パームレスト部分を所望の角度の傾斜において前記基部部分に固着させるように構成される機構をさらに備える、請求項１６−２１のいずれかに記載の調節可能マウス。
【請求項２３】
前記機構は、２１度の示される最小角度〜３６度の最大角度の前記パームレスト部分と前記基部部分との間の傾斜角度を達成するように構成される、請求項２２に記載の調節可能マウス。
【請求項２４】
前記機構は、前記パームレスト部分の湾曲底部内に形成される少なくとも１つのスロットと、少なくとも１つのスライドアンカと、少なくとも１つのスライドレールとを含み、前記少なくとも１つのスライドレールは、前記少なくとも１つのスロット内に位置付けられる、請求項２２および２３のいずれかに記載の調節可能マウス。
【請求項２５】
前記機構はさらに、前記少なくとも１つのスライドアンカを前記少なくとも１つのスライドレールに締結させ、前記パームレスト部分の底部を前記少なくとも１つのスライドアンカと前記少なくとも１つのスライドレールとの間に圧着するねじ山付き締結具を含む、請求項２２−２４のいずれかに記載の調節可能マウス。
【請求項２６】
前記機構は、２つのスロットと、２つの個別のスライドアンカおよびスライドレールとを含む、請求項２２−２５のいずれかに記載の調節可能マウス。
【発明の詳細な説明】
【技術分野】
【０００１】
（関連出願の相互参照）
本願は、あらゆる目的のために、参照することによってその全体として組み込まれる、２０１７年８月２１日に出願され、「ＡＤＪＵＳＴＡＢＬＥ  ＭＯＵＳＥ」と題された、米国仮特許出願第６２／５４８，０８０号の優先権を主張する。
【０００２】
本開示は、概して、ポインティングデバイスに関し、より具体的には、表面に対する２次元運動を検出し、グラフィカルユーザインターフェース（「ＧＵＩ」）の微調整を可能にする、調節可能マウスに関する。
【背景技術】
【０００３】
典型的マウスは、２つ以上のボタンと、同様に、付加的ボタンとして作用し、ポインタをＧＵＩ上で２次元において移動させ得る、スクロールホイールとを含む。マウスはまた、ユーザの親指を快適に受容するように輪郭が付けられる、サムレストサポートを含むことができる。マウスを操作する間、マウスがユーザの手の中に快適にフィットすることが望ましい。
【発明の概要】
【課題を解決するための手段】
【０００４】
本開示の一側面は、平坦表面上に静置するように構成される、平坦底部と、湾曲上部とを含む、基部部分と、ユーザの手にフィットするように輪郭が付けられるように構成される、本体と、基部部分の湾曲上部と噛合するように構成される、湾曲底部とを含む、パームレスト部分と、パームレスト部分を所望の角度の傾斜において基部部分に固着させるように構成される、機構とを備える、調節可能マウスを対象とする。
【０００５】
調節可能マウスの実施形態はさらに、機構が、２１度の示される最小角度〜３６度の最大角度のパームレスト部分と基部部分との間の傾斜角度を達成するように構成するステップを含んでもよい。機構は、パームレスト部分の湾曲底部内に形成される、少なくとも１つのスロットと、少なくとも１つのスライドアンカと、少なくとも１つのスライドレールとを含んでもよく、少なくとも１つのスライドレールは、少なくとも１つのスロット内に位置付けられる。機構はさらに、少なくとも１つのスライドアンカを少なくとも１つのスライドレールに締結させ、パームレスト部分の底部を少なくとも１つのスライドアンカと少なくとも１つのスライドレールとの間に圧着する、ねじ山付き締結具を含んでもよい。機構はさらに、２つのスロットと、２つの個別のスライドアンカおよびスライドレールとを含んでもよい。パームレスト部分の本体は、ユーザが調節可能マウスを動作させるために操作する、少なくとも１つのフィンガボタンおよび／またはスクロールホイールを含んでもよい。調節可能マウスはさらに、基部部分に結合される、親指調節アセンブリを含んでもよい。親指調節アセンブリは、サムレスト部分を後退位置と延在位置との間で移動させるように構成されてもよい。親指調節アセンブリは、サムレスト部分の本体から延在する、シャフトを含んでもよく、シャフトは、基部部分によって結合され、サムレスト部分をパームレスト部分に向かって移動させ、パームレスト部分から離れるように移動させ、基部部分に対して上下に移動させる。シャフトは、ハブ内に摩擦受容され、伸縮自在方式において、サムレスト部分を延在および後退させてもよい。シャフトは、基部部分から延在する、枢動支柱と、枢動支柱を中心として回転するように構成される、ブラケットとによって、基部部分に結合されてもよく、シャフトは、基部部分に対して枢動するように構成される。枢動支柱は、基部部分の湾曲上部から延在してもよい。枢動支柱は、円筒形シャフトと、円筒形シャフトをその中に摩擦受容するように構成される、円筒形ハブとを含んでもよく、円筒形シャフトは、一端において、ブラケットに固着され、他端は、円筒形ハブ内に摩擦受容され、円筒形ハブは、基部部分の湾曲上部上に搭載される。円筒形シャフトは、ブラケットに固着され、円筒形ハブおよび円筒形シャフトが、枢動支柱に対して回転することを可能にしてもよい。シャフトは、ボール継手によって、サムレスト部分に固着されてもよい。
【０００６】
本開示の別の側面は、基部部分と、基部部分に結合される、パームレスト部分であって、所望の角度の傾斜において基部部分に固着されるように構成される、パームレスト部分と、基部部分に結合される、親指調節アセンブリとを備える、調節可能マウスを対象とする。親指調節アセンブリは、サムレスト部分を後退位置と延在位置との間で移動させるように構成される。
【０００７】
調節可能マウスの実施形態はさらに、サムレスト部分の本体から延在する、シャフトを有する、親指調節アセンブリを含んでもよく、シャフトは、パームレスト部分によって結合され、サムレスト部分をパームレスト部分に向かって移動させ、パームレスト部分から離れるように移動させ、基部部分に対して上下に移動させる。シャフトは、基部部分から延在する、枢動支柱と、枢動支柱を中心として回転するように構成される、ブラケットとによって、基部部分に結合されてもよく、シャフトは、基部部分に対して枢動するように構成される。枢動支柱は、基部部分の湾曲上部から延在してもよい。枢動支柱は、円筒形シャフトと、円筒形シャフトをその中に摩擦受容するように構成される、円筒形ハブとを含んでもよく、円筒形シャフトは、一端において、ブラケットに固着され、他端は、円筒形ハブ内に摩擦受容され、円筒形ハブは、基部部分の湾曲上部上に搭載される。円筒形シャフトは、ブラケットに固着され、円筒形ハブおよび円筒形シャフトが、枢動支柱に対して回転することを可能にする。調節可能マウスはさらに、パームレスト部分を所望の角度の傾斜において基部部分に固着させるように構成される、機構を含んでもよい。機構は、２１度の示される最小角度〜３６度の最大角度のパームレスト部分と基部部分との間の傾斜角度を達成するように構成されてもよい。機構は、パームレスト部分の湾曲底部内に形成される、少なくとも１つのスロットと、少なくとも１つのスライドアンカと、少なくとも１つのスライドレールとを含んでもよく、少なくとも１つのスライドレールは、少なくとも１つのスロット内に位置付けられる。機構はさらに、少なくとも１つのスライドアンカを少なくとも１つのスライドレールに締結させ、パームレスト部分の底部を少なくとも１つのスライドアンカと少なくとも１つのスライドレールとの間に圧着する、ねじ山付き締結具を含んでもよい。機構は、２つのスロットと、２つの個別のスライドアンカおよびスライドレールとを含んでもよい。
【０００８】
本開示の別の側面は、基部と、基部に結合される、サムレストサポートアセンブリとを備える、調節可能マウスを対象とする。サムレストサポートアセンブリは、２つ以上のボール継手を有し、可撓性をサムレストサポートに提供し、広範囲の位置を達成する、調節可能アームを含む。
【０００９】
本開示の別の側面は、基部と、基部に結合される、サムレストサポートとを備える調節可能マウスを対象とし、サムレストサポートは、除去され、サムレストサポートと関連付けられた磁気取付部を使用して、磁気グリッド上の異なる点に再位置付けされるように構成される。一実施形態では、付加的調節が、サムレストサポートに取り付けられるボール継手の使用によって、サムレストサポート位置に行われることができる。
【００１０】
本開示の別の側面は、基部と、基部に結合される、サムレストサポートアセンブリとを備える、調節可能マウスを対象とする。サムレストサポートアセンブリは、基部の下面上に搭載される、ねじと、ねじに螺合固着される、歯車と、シャフトによって歯車に結合される、サムレストサポートとを含む。サムレストサポートアセンブリのサムレストサポートは、ねじの長さに沿って進行し、サムレストサポートを精密に位置付ける。
【００１１】
本開示の別の側面は、基部と、基部に結合される、サムレストサポートアセンブリとを備える、調節可能マウスを対象とする。サムレストサポートアセンブリは、閉鎖位置または延在位置への揺動調節を可能にするように構成される２つのアームによって基部に搭載される、サムレストサポートを含む。
【００１２】
本開示の別の側面は、基部と、基部に結合される、サムレストサポートアセンブリとを備える、調節可能マウスを対象とする。サムレストサポートアセンブリは、基部の中に構築される、レールに取り付けられ、レールは、サムレストサポートアセンブリを基部に対して移動させることによって、サムレストサポートの水平調節を可能にする。別の実施形態では、サムレストサポートアセンブリは、親指位置の若干の偏移を可能にする、成型されたレール区分を含有する、サムレストサポートを含んでもよい。
【００１３】
本開示の別の側面は、基部と、基部に回転可能に結合される、サムレストサポートアセンブリとを備える、調節可能マウスを対象とする。サムレストサポートアセンブリは、基部に枢動可能に接続される、伸縮自在シャフトと、伸縮自在シャフトに枢動可能に接続される、サムレストサポートとを含む。伸縮自在シャフトおよびサムレストサポートは、サムレストサポートアセンブリが、固定軸から上下に傾斜し、伸縮自在シャフトの軸に沿って外向きまたは内向きに延在することを可能にする。
【００１４】
本開示の別の側面は、基部と、基部に結合される、サムレストサポートアセンブリとを備える、調節可能マウスを対象とする。サムレストサポートアセンブリは、具体的角度において成型される、いくつかの着脱可能アームのうちの１つと置換され得る、着脱可能アームを含む。各着脱可能アームは、アームに枢動可能に結合される、サムレストサポートを含んでもよい。
【００１５】
本開示の別の側面は、基部と、サムレストサポートの細かい水平調節のために基部のレールに搭載されるサムレストサポートを有する、サムレストサポートアセンブリとを備える、調節可能マウスを対象とする。レールはまた、伸縮自在アームに搭載され、サムレストサポートの角度および延在を調節する、取り付けられたボール継手を有してもよい。
【００１６】
本開示の別の側面は、基部と、基部に結合される、サムレストサポートアセンブリとを備える、調節可能マウスを対象とする。サムレストサポートアセンブリは、２つ以上の連結された車軸から成り、サムレストサポート位置および延在を調節する、アームを含む。
【００１７】
調節可能マウスの実施形態はさらに、基部を、基部部分と、ヒンジによって基部部分にヒンジ式固着されるパームレスト部分とを有するように構成するステップを含んでもよい。
【図面の簡単な説明】
【００１８】
前述は、同様の参照文字が異なる図全体を通して同一部分を指す、付随の図面に図示されるように、本発明の好ましい実施形態の以下のより具体的説明から明白となるであろう。図面は、必ずしも、正確な縮尺ではなく、代わりに、本発明の原理を例証することに強調が置かれる。
【００１９】
【図１】図１は、本開示の実施形態の調節可能マウスの上面図である。
【００２０】
【図２】図２は、調節可能マウスの側面図である。
【００２１】
【図３】図３は、調節可能マウスの正面図である。
【００２２】
【図４Ａ】図４Ａは、親指調節アセンブリが除去されており、基部部分に対して最小角度に配置される、パームレスト部分を示す、調節可能マウスの概略正面図である。
【００２３】
【図４Ｂ】図４Ｂは、親指調節アセンブリが除去されており、基部部分に対して最大角度に配置される、パームレスト部分を示す、調節可能マウスの概略正面図である。
【００２４】
【図５】図５は、調節可能マウスの底面図である。
【００２５】
【図６】図６は、パームレスト部分の上部が除去されており、調節可能マウスの内部構成要素を露見させる、調節可能マウスの上部斜視図である。
【００２６】
【図７】図７および８は、調節可能マウスの断面図である。
【図８】図７および８は、調節可能マウスの断面図である。
【００２７】
【図９】図９は、パッケージングが調節可能マウスから除去されている、上面図である。
【００２８】
【図１０】図１０は、パッケージングが調節可能マウスから除去されている、斜視図である。
【００２９】
【図１１】図１１は、本開示の実施形態の調節可能マウスの親指調節アセンブリの概略図である。
【００３０】
【図１２】図１２Ａおよび１２Ｂは、本開示の別の実施形態の調節可能マウスの親指調節アセンブリの概略図である。
【００３１】
【図１３】図１３は、本開示の別の実施形態の調節可能マウスの親指調節アセンブリの概略図である。
【００３２】
【図１４】図１４は、本開示の別の実施形態の調節可能マウスの親指調節アセンブリの概略図である。
【００３３】
【図１５】図１５は、本開示の別の実施形態の調節可能マウスの親指調節アセンブリの概略図である。
【００３４】
【図１６】図１６は、本開示の別の実施形態の調節可能マウスの親指調節アセンブリの概略図である。
【００３５】
【図１７】図１７は、本開示の別の実施形態の調節可能マウスの親指調節アセンブリの概略図である。
【００３６】
【図１８】図１８は、本開示の別の実施形態の調節可能マウスの親指調節アセンブリの概略図である。
【００３７】
【図１９】図１９Ａおよび１９Ｂは、本開示の別の実施形態の調節可能マウスの親指調節アセンブリの概略図である。
【００３８】
【図２０】図２０は、本開示の別の実施形態の調節可能マウスの親指調節アセンブリの概略図である。
【発明を実施するための形態】
【００３９】
本開示の側面は、パームレスト部分、サムレスト部分、およびマウスのボタンおよびスクロールホイールの場所を調節し、ユーザの手により良好に適応するように構成される、マウスを対象とする。したがって、本開示の実施形態のマウスは、特定のユーザの手のサイズに合うように調節されることが可能である。一実施形態では、マウスは、本体の角度を調節し、マウスの基部部分に対するマウスのパームレスト部分を画定することが可能である。具体的には、マウスは、マウスのパームレスト部分が所望の角度を基部部分に対して達成するように調節可能である。パームレスト部分および関連付けられた入力制御は、弧に沿って摺動し、それによって、マウスをユーザのためにより人間工学的に効率的にする。
【００４０】
例えば、調節可能マウスは、ユーザが、その手のために正しく設計されていない固定式の角度付けられたマウスを使用するとき、使いすぎまたは活発化した状態になる、神経および筋肉上にかかる応力を緩和するように調節し得る、可変角度調節を可能にする。調節可能マウスは、最初は、マウスを用いて快適であると見出されたが、長期使用後、前の調節を用いることで、手の他の面積において応力がかけられ、不快であると見出される位置における、応力を緩和するように構成される。
【００４１】
本開示の別の側面は、ユーザの親指のいくつかの自由軸を提供する親指調節アセンブリを有する、マウスを対象とする。一実施形態では、親指調節アセンブリは、サムレスト部分と、サムレスト部分から延在する、シャフトとを含む。親指調節アセンブリは、汎用ボール継手によってサムレスト部分に固着される、延在可能シャフトを含み、延在可能シャフトは、基部部分に固着される、延在可能枢動支柱に枢動可能に固着される。
【００４２】
ここで図面、より具体的には、図１−３を参照すると、調節可能マウスの実施形態が、概して、１０に示される。示されるように、マウス１０は、ユーザの右手のために構成される。マウス１０は、ユーザの左手のために構成されてもよく、依然として、本開示の範囲内であることを理解されたい。上記に述べられたように、マウス１０は、ＧＵＩ内の２次元におけるポインタの運動を制御するように構成され、マウスは、ユーザの手の移動を同等の電子信号に変換し、ポインタを従来の様式において移動させる。下記により詳細に議論されるであろうように、ボタンが、マウス上に提供され、これは、ユーザによってあるアクションを実施するために「クリック」され得る。
【００４３】
一実施形態では、マウス１０は、概して、１２に示される、基部部分と、ユーザの手にフィットするように形成される、概して、１４に示される、パームレスト部分と、サムレスト部分１８を移動させるように構成される、概して、１６に示される、親指調節アセンブリとを含む。基部部分１２は、平坦表面、例えば、机上部表面上に静置するように構成される、平坦底部２０と、パームレスト部分１４と相互接続するように構成される、湾曲上部２２とを含む。下記により詳細に説明されるであろうように、パームレスト部分１４は、基部部分１２に固着され、パームレスト部分と基部部分との間の所望の角度の傾斜を達成するように構成される。具体的には、パームレスト部分１４は、基部部分１２に対して摺動するように構成され、湾曲上部２２は、傾斜の角度を提供する。また、パームレスト部分１４が基部部分１２に固着される、様式も、同様に議論されるであろう。
【００４４】
示されるように、パームレスト部分１４は、ユーザの手にフィットするように輪郭が付けられた本体２４を画定する、シェルを含む。上記に議論されるように、パームレスト部分１４は、ユーザの右手のために設計されるが、パームレスト部分は、ユーザの左手に適応するように構成されることもできる。パームレスト部分の本体２４は、ユーザの手にフィットするように輪郭が付けられる、上部２６と、基部部分１２の湾曲上部２２と噛合するように構成される、湾曲底部２８と、ユーザが従来の様式において調節可能マウス１０を動作させるために操作する、２つのフィンガボタン３０、３２およびスクロールホイール３４とを含む。フィンガボタン３０、３２は、それぞれ、ユーザの人差し指および中指によって操作されるように設計され、スクロールホイール３４は、フィンガボタン間に提供され、人差し指および中指によって操作される。２つのフィンガボタンが、調節可能マウス１０のために提供されるが、より少ないまたはより多いフィンガボタンを有する、またはスクロールホイールを伴わない、マウスも、提供されてもよいことを理解されたい。示されるように、パームレスト部分１４の本体２４の上部２６は、フィンガボタン３０、３２を弧に沿って位置付け、ユーザの手に共形化する。
【００４５】
図４Ａおよび４Ｂを参照すると、パームレスト部分１４は、基部部分１２に固着され、パームレスト部分と基部部分との間の所望の角度の傾斜を達成するように構成される。具体的には、パームレスト部分１４は、基部部分の噛合上部２２とパームレスト部分の本体２４の底部２８の交点において、パームレスト部分を基部部分１２に対して摺動させることによって、図４Ａに示される最小角度（２１度）〜図４Ｂに示される最大角度（３６度）の傾斜角度を達成するように構成される。
【００４６】
パームレスト部分１４が、基部部分１２に対して移動し、基部部分に固着される、様式は、図５および６に示される。示されるように、パームレスト部分１４の湾曲底部２８は、基部部分１２の湾曲上部２２と噛合するように構成される。一実施形態では、パームレスト部分１４の湾曲底部２８は、その中に形成される、第１のスロット付き開口部３６と、第２のスロット付き開口部３８とを有する。基部部分１２は、第１のスライドアンカ４０と、第１のスライドレール４２とを含み、第１のスライドレールは、第１のスロット付き開口部３６内に位置付けられる。基部部分１２はさらに、第２のスライドアンカ４４と、スライドレール４６とを含み、第２のスライドレールは、第２のスロット付き開口部３８内に位置付けられる。配列は、第１のスライドアンカ４０が、第１のスライドアンカを第１のスライドレール４２に向かって締結させ、それによって、パームレスト部分の底部を第１のスライドアンカと第１のスライドレールとの間に圧着するために使用される、第１のねじ山付き締結具４８によって、パームレスト部分１４の底部２８に固着されるように行われる。同様に、第２のスライドアンカ４４は、第２のスライドアンカを第２のスライドレール４６に向かって締結させるために使用される、第２のねじ山付き締結具５０によって、パームレスト部分１４の底部２８に固着される。ある実施形態では、第１および第２のねじ山付き締結具４８、５０は、機械ねじを具現化することができる。
【００４７】
示されるように、第１および第２のねじ山付き締結具４８、５０の頭部へのアクセスは、基部部分１２の底部２０上に見出されることができる。第１および第２のねじ山付き締結具４８、５０は、従来の様式で動作する。第１および第２のねじ山付き締結具４８、５０を反時計回り方向に旋回させることは、ねじ山付き締結具を弛緩させ、それによって、パームレスト部分１４の底部２８を第１および第２のスライドアンカ４０、４４および第１および第２のスライドレール４２、４６から解放する。第１および第２のねじ山付き締結具４８、５０を時計回り方向に旋回させることは、ねじ山付き締結具を緊締させ、それによって、パームレスト部分１４の底部２８を第１および第２のスライドアンカ４０、４４と第１および第２のスライドレール４２、４６との間に固着させる。ユーザは、パームレスト部分１４を基部部分１２に対して移動または摺動させ、第１および第２のねじ山付き締結具４８、５０を緊締させ、パームレスト部分を所望の位置に維持することで、パームレスト部分を基部部分に固着することによって、所望の角度を選択することができる。
【００４８】
一実施形態では、ユーザは、パームレスト部分１４の角度または傾斜を調節可能マウス１０の基部部分１２に対して２１度〜３６度に変動させることができる。しかしながら、基部部分１２の湾曲上部２２の湾曲部の構造、パームレスト部分１４の湾曲底部２８の曲率、パームレスト部分の湾曲底部内に形成される第１および第２のスロット付き開口部３６、３８、第１および第２のスライドアンカ４０、４４および第１および第２のスライドレール４２、４６は、水平平面に対して任意の所望の角度の傾斜、例えば、１０度〜５０度の角度の傾斜を達成するように構成されてもよい。
【００４９】
本明細書に開示される調節可能マウスのある実施形態では、パームレスト部分の角度を基部部分に対して傾斜させることは、調節可能マウスのパームレスト部分をより水平に配向された設置（例えば、２１度傾斜角度）またはより垂直に配向された設置（例えば、３６度傾斜角度）のいずれかに向かって再位置付けするために使用される。
【００５０】
図７−１０を参照すると、親指調節アセンブリ１６の構造が、示され、下記に説明される。示されるように、親指調節アセンブリ１６は、汎用ボール継手５４によって円筒形シャフト５２に固着される、サムレスト部分１８を含む。円筒形シャフト５２は、円筒形ハブ５６内に摩擦受容され、サムレスト部分１８を伸縮自在方式において延在および後退させる。本実施形態では、円筒形シャフト５２および円筒形ハブ５６は、１つの区画を有する伸縮自在シャフトを形成する。
【００５１】
示される実施形態では、円筒形ハブ５６は、枢動支柱５８および枢動支柱を中心として回転するように構成されるブラケット６０によって、基部部分１２の上部２２に枢動可能に接続される。示されるように、枢動支柱５８は、いくつかの（例えば、４つの）ねじ山付き締結具により基部部分の上部上に搭載されるブラケット６２によって、基部部分１４の上部２２の上部表面に固着される。その結果、枢動支柱５８は、基部部分の上部２２から垂直に延在する。具体的には、円筒形ハブ５６は、ブラケット６０に固着され（溶接等によって）、円筒形ハブおよび円筒形シャフト５２が、枢動支柱５８に対して回転することを可能にする。配列は、サムレスト部分１８が、円筒形シャフト５２がパームレスト部分１４の方向と略法線または垂直方向に枢動支柱５８から延在する位置から、円筒形シャフトが前方枢動方向に枢動支柱から延在する前方押下位置に移動するように構成されるように行われる。ある実施形態では、円筒形シャフト５２は、サムレスト部分１８の角度を基部部分１２に対して変化させ、ユーザの手に適応するように操作されることができる。
【００５２】
図９および１０に明確に示される、一実施形態では、枢動支柱５８は、一端においてブラケット６０に固着される、円筒形シャフト６４と、円筒形シャフトの反対端をその中に摩擦受容する、円筒形ハブ６６とを含むように構成されることができる。枢動支柱５８の円筒形シャフト６４は、ブラケット６０に固着され、円筒形ハブ５６および円筒形シャフト５２が、枢動支柱によって画定された軸に対して回転することを可能にする。示されるように、円筒形ハブ６６は、基部部分１２の上部２２上に搭載される、ブラケット６２に固着される。配列は、円筒形シャフト６４が、延在および後退し、円筒形ハブ５６を基部部分１２の上部２２と垂直方向に移動させるように構成されるように行われる。本運動は、パームレスト部分１４に対するサムレスト部分１８の仰角位置を調節する。本実施形態では、円筒形シャフト６４および円筒形ハブ６６は、１つの区画を有する、伸縮自在シャフトを形成する。
【００５３】
図１１は、概して、１０に示される、調節可能マウスを図示する。示されるように、調節可能マウス１０は、基部１１と、ヒンジ１３によって基部にヒンジ式搭載される、本体１２と、本体に結合される、概して、１４に示される、サムレストサポートアセンブリとを含む。本体１２は、基部１１に対して移動し、本体をユーザに快適な所望の位置に調節することが可能である。サムレストサポートアセンブリ１４は、それぞれ、１６に示される、２つ以上のボール継手を有し、可撓性をサムレストサポート１７に提供し、広範囲の位置を達成する、調節可能アーム１５を含む。示されるように、４つのボール継手１６が、サムレストサポート１７をユーザに快適な所望の位置に位置付けるために提供される。しかしながら、任意の数のボール継手が、含まれることができる。一実施形態では、ボール継手１６は、所望の位置を摩擦維持することが可能である。
【００５４】
図１２Ａおよび１２Ｂは、概して、２０に示される、調節可能マウスを図示する。示されるように、調節可能マウス２０は、基部２１と、基部にヒンジ式搭載される、本体２２と、本体に結合される、サムレストサポート２３とを含む。本体２２は、基部２１に対して移動し、本体をユーザに快適な所望の位置に調節することが可能である。図示されないが、本体２２は、調節可能マウスの他の実施形態に類似する様式において、基部にヒンジ式搭載されてもよい。サムレストサポート２３は、除去され、サムレストサポートと関連付けられた磁気取付部２５を使用して、磁気グリッド２４上の異なる点に再位置付けされるように構成される。一実施形態では、磁気グリッド２４は、強磁性材料の１０のパッドによって形成され、磁気取付部２５は、磁石を含む。しかしながら、任意のタイプの磁気材料から作製される、任意の数の磁気パッドが、使用されることができる。別の実施形態では、磁気グリッド２４は、磁石のパッドによって形成されることができ、磁気取付部２５は、強磁性材料を含むことができる。付加的調節が、サムレストサポートに取り付けられるボール継手２６の使用によって、サムレストサポート２３位置に行われることができる。
【００５５】
図１３は、概して、３０に示される、調節可能マウスを図示する。示されるように、調節可能マウス３０は、基部３１と、ヒンジ３３によって基部にヒンジ式搭載される、本体３２と、本体に結合される、サムレストサポートアセンブリ３４とを含む。本体３２は、基部３１に対して移動し、本体をユーザに快適な所望の位置に調節することが可能である。サムレストサポートアセンブリ３４は、本体３２の下面上に搭載される、ねじまたはウォーム歯車３５を含む。サムレストサポートアセンブリ３４はさらに、ねじ３５に螺合固着される、歯車３６と、伸縮自在であって、サムレストサポートを延在または後退させ得る、シャフト３８によって歯車に結合される、サムレストサポート３７とを含む。サムレストサポートアセンブリ３４の歯車３６を回転（または捻転）させることによって、サムレストサポートアセンブリのサムレストサポート３７は、ねじ３５、例えば、コルクねじ軸を辿って進行し、サムレストサポートを精密に位置付ける。ノブ３９が、ねじ３５を回転させ、歯車３６をユーザに快適な所望の位置に移動させるために提供されてもよい。
【００５６】
図１４は、概して、４０に示される、調節可能マウスを図示する。示されるように、調節可能マウス４０は、基部４１と、ヒンジ４３によって基部にヒンジ式搭載される、本体４２と、本体に結合される、概して、４４に示される、サムレストサポートアセンブリとを含む。本体４２は、基部４１に対して移動し、本体をユーザに快適な所望の位置に調節することが可能である。サムレストサポートアセンブリ４４は、枢軸４８によりサムレストサポートに接続される２つのアーム４６、４７によって調節可能マウス４０の本体４２に搭載される、サムレストサポート４５を含む。２つのアーム４６、４７は、アームを、それぞれ、アームが略鈍角を形成する、離間位置から、アームが略鋭角を形成する、閉鎖位置に移動させることによって、閉鎖位置または延在位置への揺動調節を可能にする。摩擦は、アーム４６、４７をユーザに快適な所望の位置に維持し得る。２つのアームが示されるが、任意の数のアームが、使用されることができることを理解されたい。
【００５７】
図１５は、概して、５０に示される、調節可能マウスを図示する。示されるように、調節可能マウス５０は、基部５１と、基部にヒンジ式搭載される、本体５２と、本体に結合される、概して、５３に示される、サムレストサポートアセンブリとを含む。本体５２は、基部５１に対して移動し、本体をユーザに快適な所望の位置に調節することが可能である。図示されないが、本体５２は、調節可能マウスの他の実施形態に類似する様式において、基部にヒンジ式搭載されてもよい。サムレストサポートアセンブリ５３のサムレストサポート５４は、図１５に図式的に示される。サムレストサポート５４は、調節可能マウス５０の本体５２の中に構築される、レール５５に取り付けられる。一実施形態では、レール５５は、本体５２に対して、略水平に延在し、サムレストサポート５４は、レールに沿って乗設されるように構成される。レール５５は、サムレストサポートを本体５２に対して移動させることによって、サムレストサポート５４のカスタマイズ可能な水平調節を可能にする。示されるように、レール５５は、調節可能マウス５０の本体５２の中に構築される。レール５５は、サムレストサポートアセンブリを前後に偏移させ、レールに沿った位置を維持するように設計される。
【００５８】
図１６は、図１５に示される調節可能マウス５０の変形例を図示する。示されるように、概して、６０に示される、サムレストサポートアセンブリは、親指位置の若干の偏移を可能にする、成型されたレール区分６２を含有する、サムレストサポート６１を含む。示されるように、レール区分６２は、本体の代わりに、サムレストサポート６１の中に構築される。それ以外は、サムレストサポートは、図１５の実施形態と同様に動作するように構成される。レール区分６２は、マウスの本体に対して水平に延在し、サムレストサポート６１は、レールに沿って移動するように構成される。レール区分６２は、サムレストサポートをマウスの本体に対してレール区分に沿って移動させ、本体に対する位置を維持することによって、サムレストサポート６２のカスタマイズ可能な水平調節を可能にする。
【００５９】
図１７は、概して、７０に示される、調節可能マウスを図示する。示されるように、調節可能マウス７０は、基部７１と、ヒンジ７３によって基部にヒンジ式搭載される、本体７２と、本体に回転可能に結合される、概して、７４に示される、サムレストサポートアセンブリとを含む。本体７２は、基部７１に対して移動し、本体をユーザに快適な所望の位置に調節することが可能である。サムレストサポートアセンブリ７４は、枢軸７６によって基部７１に枢動可能に接続される、伸縮自在シャフト７５と、別の枢軸７８によって伸縮自在シャフトに枢動可能に接続される、サムレストサポート７７とを含む。伸縮自在シャフト７５と基部７１およびサムレストサポート７７の枢動取付は、サムレストサポートアセンブリ７４が弧に沿って固定軸から上下に傾斜することを可能にする。伸縮自在シャフト７５はさらに、サムレストサポート７７が、伸縮自在シャフトの軸に沿って、基部７１に対して外向きに延在され、内向きに後退されることを可能にする。摩擦枢動および伸縮自在シャフトは、伸縮自在シャフト７５および枢軸７６、７８をユーザに快適な所望の位置に維持し得る。また、枢動位置を維持するための他の機構も使用されることができることが理解される。
【００６０】
図１８は、概して、８０に示される、調節可能マウスを図示する。示されるように、調節可能マウス８０は、基部８１と、ヒンジ８３によって基部にヒンジ式搭載される、本体８２と、本体に結合される、概して、８４に示される、サムレストサポートアセンブリとを含む。本体８２は、他の実施形態に関して本明細書に説明されたように、基部８１に対して移動し、本体をユーザに快適な所望の位置に調節することが可能である。サムレストサポートアセンブリ８４は、８５ａ、８５ｂ、および８５ｃによって識別される、いくつかの着脱可能アームを含む。選択された着脱可能アーム、例えば、着脱可能アーム８５ａは、具体的角度で成型される、いくつかの他の着脱可能アーム、例えば、着脱可能アーム８５ｂまたは８５ｃのうちの１つによって置換されることができる。各着脱可能アーム８５ａ、８５ｂ、８５ｃは、枢軸８７によってアーム部分に枢動可能に結合される、サムレストサポート８６を含む。示されるように、３つの異なる着脱可能アーム８５ａ、８５ｂ、８５ｃが、提供される。しかしながら、任意の数の着脱可能アームが、ユーザがサムレストサポート８６の位置を所望の位置に変化させるために提供されることができる。
【００６１】
図１９Ａおよび１９Ｂは、サムレストサポートの細かい水平調節のためのシャフト区画９３によってレール９２に搭載される、サムレストサポート９１を含む、概して、９０に示される、サムレストサポートアセンブリを図示する。レール９２はまた、伸縮自在アーム９５に搭載され、サムレストサポート９１の角度および延在を調節する、取り付けられたボール継手９４を有する。その結果、サムレストサポート９１は、基部に対して水平に、回転可能に、および内外に移動され、サムレストサポートをレール９２に沿って移動させることによって、伸縮自在アーム９５を延在および後退させることによって、およびレール９２をボール継手９４に対して枢動することによって、所望の位置に提供されることができる。
【００６２】
図２０は、概して、１００に示される、調節可能マウスを図示する。示されるように、調節可能マウス１００は、基部１０１と、ヒンジ１０３によって基部にヒンジ式搭載される、本体１０２と、本体に結合される、概して、１０４に示される、サムレストサポートアセンブリとを含む。本体１０２は、基部１０１に対して移動し、本体をユーザに快適な所望の位置に調節することが可能である。サムレストサポートアセンブリ１０４は、サムレストサポート１０７の位置および延在の調節のために、それぞれ、１０６に示される、２つ以上の連結された車軸区画から成る、アーム１０５を含む。示されるように、２つの車軸区画１０６が、提供される。しかしながら、任意の数の車軸区画が、ユーザに快適なサムレストサポート１０７の所望の位置を達成するために提供されてもよい。
【００６３】
親指調節アセンブリの構造は、サムレスト部分が、時計回り、反時計回りに移動され、複数の方向に傾斜することを可能にする。親指調節アセンブリは、サムレスト部分を調節可能マウス本体に向かって、またはそこから離れるように移動させ、それによって、ユーザの手の特定の特性に適応させるために使用されてもよい。本明細書に開示される実施形態は、親指が手の残りからより遠く離れて移動されることを可能にすることによって、ユーザの手が拡張することを可能にするように設計される。これは、ユーザの手にとって小さすぎるマウスと関連付けられた痙攣および／または痛みを緩和する。親指調節アセンブリは、ユーザが、サムレスト部分を調節可能マウスの基部部分から離れた所望の位置に位置付けることを可能にする。
【００６４】
開示されるように、本明細書に開示される調節可能マウスの実施形態は、ユーザの右手または左手において使用するために構成されてもよい。調節可能マウスは、ポインタの運動をＧＵＩ内で２次元において制御するように構成されることができ、調節可能マウスは、ユーザの手の移動を同等の電子信号に変換し、ポインタを従来の様式において移動させる。調節可能マウスは、ユーザによってあるアクションを実施するために「クリック」または別様に操作され得る、付加的ボタン、ホイール、および他のデバイスを含むことができる。
【００６５】
他の実施形態は、異なる調節を読み取り、それらを画面上に示す、または個人用アカウントに保存させる、マウスの内側に位置付けられるセンサを有する、マイクロプロセッサを含むことができる。マイクロプロセッサは、調節可能マウスが他者によって使用されるとき、ユーザが、デバイスを好ましい設定に再位置付けすることを可能にする。アカウントにまたは一般的設定ファイル内に保存される場合、マイクロプロセッサはまた、ＤＰＩ測定値、ドライバ設定、および調節可能マウスの使用に関連する他の情報を維持することができる。他のセンサも、ユーザアクティビティ、ゲージライト、および同等物を測定するために、マウスの内側に提供されることができる。マウスの底部の近傍に位置付けられるボタンは、右マウスクリックの無効または右マウスボタンのコマンドの改変等のボタンのコマンドを変更するために使用されることができる。別個のボタンも、ＤＰＩ調節ボタンと同一ボタンを使用する代わりに、追加されることができる。
列挙される実施形態
１．調節可能マウスであって、
【００６６】
基部部分であって、基部部分は、平坦表面上に静置するように構成される、平坦底部と、湾曲上部とを含む、基部部分と、
【００６７】
パームレスト部分であって、パームレスト部分は、ユーザの手にフィットするように輪郭が付けられるように構成される本体と、基部部分の湾曲上部と噛合するように構成される湾曲底部とを含む、パームレスト部分と、
【００６８】
機構であって、機構は、パームレスト部分を所望の角度の傾斜において基部部分に固着させるように構成される、機構と
を備える、調節可能マウス。
【００６９】
２．機構は、２１度の示される最小角度〜３６度の最大角度のパームレスト部分と基部部分との間の傾斜角度を達成するように構成される、請求項１に記載の調節可能マウス。
【００７０】
３．機構は、パームレスト部分の湾曲底部内に形成される少なくとも１つのスロットと、少なくとも１つのスライドアンカと、少なくとも１つのスライドレールとを含み、少なくとも１つのスライドレールは、少なくとも１つのスロット内に位置付けられる、上記請求項のいずれかに記載の調節可能マウス。
【００７１】
４．機構はさらに、少なくとも１つのスライドアンカを少なくとも１つのスライドレールに締結させ、パームレスト部分の底部を少なくとも１つのスライドアンカと少なくとも１つのスライドレールとの間に圧着するねじ山付き締結具を含む、請求項３に記載の調節可能マウス。
【００７２】
５．機構は、２つのスロットと、２つの個別のスライドアンカおよびスライドレールとを含む、請求項３および４のいずれかに記載の調節可能マウス。
【００７３】
６．パームレスト部分の本体は、ユーザが調節可能マウスを動作させるために操作する少なくとも１つのフィンガボタンおよび／またはスクロールホイールを含む、上記請求項のいずれかに記載の調節可能マウス。
【００７４】
７．基部部分に結合される親指調節アセンブリをさらに備える、上記請求項のいずれかに記載の調節可能マウス。
【００７５】
８．親指調節アセンブリは、サムレスト部分を後退位置と延在位置との間で移動させるように構成される、請求項７に記載の調節可能マウス。
【００７６】
９．親指調節アセンブリは、サムレスト部分の本体から延在するシャフトを含み、シャフトは、基部部分によって結合され、サムレスト部分をパームレスト部分に向かって移動させ、パームレスト部分から離れるように移動させ、基部部分に対して上下に移動させる、請求項７および８のいずれかに記載の調節可能マウス。
【００７７】
１０．シャフトは、ハブ内に摩擦受容され、伸縮自在方式において、サムレスト部分を延在および後退させる、請求項９に記載の調節可能マウス。
【００７８】
１１．シャフトは、基部部分から延在する枢動支柱と、枢動支柱を中心として回転するように構成されるブラケットとによって、基部部分に結合され、シャフトは、基部部分に対して枢動するように構成される、請求項９および１０のいずれかに記載の調節可能マウス。
【００７９】
１２．枢動支柱は、基部部分の湾曲上部から延在する、請求項１１に記載の調節可能マウス。
【００８０】
１３．枢動支柱は、円筒形シャフトと、円筒形シャフトをその中に摩擦受容するように構成される円筒形ハブとを含み、円筒形シャフトは、一端において、ブラケットに固着され、他端は、円筒形ハブ内に摩擦受容され、円筒形ハブは、基部部分の湾曲上部上に搭載される、請求項１１および１２のいずれかに記載の調節可能マウス。
【００８１】
１４．円筒形シャフトは、ブラケットに固着され、円筒形ハブおよび円筒形シャフトが、枢動支柱に対して回転することを可能にする、請求項１３に記載の調節可能マウス。
【００８２】
１５．シャフトは、ボール継手によって、サムレスト部分に固着される、請求項９−１４のいずれかに記載の調節可能マウス。
１６．調節可能マウスであって、
【００８３】
基部部分と、
【００８４】
基部部分に結合されるパームレスト部分であって、パームレスト部分は、所望の角度の傾斜において基部部分に固着されるように構成される、パームレスト部分と、
【００８５】
基部部分に結合される親指調節アセンブリであって、親指調節アセンブリは、サムレスト部分を後退位置と延在位置との間で移動させるように構成される、親指調節アセンブリと
を備える、調節可能マウス。
【００８６】
１７．親指調節アセンブリは、サムレスト部分の本体から延在するシャフトを含み、シャフトは、パームレスト部分によって結合され、サムレスト部分をパームレスト部分に向かって移動させ、パームレスト部分から離れるように移動させ、基部部分に対して上下に移動させる、請求項１６に記載の調節可能マウス。
【００８７】
１８．シャフトは、基部部分から延在する枢動支柱と、枢動支柱を中心として回転するように構成されるブラケットとによって、基部部分に結合され、シャフトは、基部部分に対して枢動するように構成される、請求項１７に記載の調節可能マウス。
【００８８】
１９．枢動支柱は、基部部分の湾曲上部から延在する、請求項１８に記載の調節可能マウス。
【００８９】
２０．枢動支柱は、円筒形シャフトと、円筒形シャフトをその中に摩擦受容するように構成される円筒形ハブとを含み、円筒形シャフトは、一端において、ブラケットに固着され、他端は、円筒形ハブ内に摩擦受容され、円筒形ハブは、基部部分の湾曲上部上に搭載される、請求項１８および１９のいずれかに記載の調節可能マウス。
【００９０】
２１．円筒形シャフトは、ブラケットに固着され、円筒形ハブおよび円筒形シャフトが、枢動支柱に対して回転することを可能にする、請求項２０に記載の調節可能マウス。
【００９１】
２２．パームレスト部分を所望の角度の傾斜において基部部分に固着させるように構成される機構をさらに備える、請求項１６−２１のいずれかに記載の調節可能マウス。
【００９２】
２３．機構は、２１度の示される最小角度〜３６度の最大角度のパームレスト部分と基部部分との間の傾斜角度を達成するように構成される、請求項２２に記載の調節可能マウス。
【００９３】
２４．機構は、パームレスト部分の湾曲底部内に形成される少なくとも１つのスロットと、少なくとも１つのスライドアンカと、少なくとも１つのスライドレールとを含み、少なくとも１つのスライドレールは、少なくとも１つのスロット内に位置付けられる、請求項２２および２３のいずれかに記載の調節可能マウス。
【００９４】
２５．機構はさらに、少なくとも１つのスライドアンカを少なくとも１つのスライドレールに締結させ、パームレスト部分の底部を少なくとも１つのスライドアンカと少なくとも１つのスライドレールとの間に圧着するねじ山付き締結具を含む、請求項２２−２４のいずれかに記載の調節可能マウス。
【００９５】
２６．機構は、２つのスロットと、２つの個別のスライドアンカおよびスライドレールとを含む、請求項２２−２５のいずれかに記載の調節可能マウス。
【００９６】
他の実施形態も、以下の請求項内である。
【００９７】
別様に記載されない限り、単語「実質的に」の使用は、精密な関係、条件、配列、配向、および／または他の特性、および当業者によって理解されるようなその逸脱（そのような逸脱が開示される方法およびシステムに実質的に影響を及ぼさない限りにおいて）を含むものと解釈され得る。
【００９８】
本開示全体を通して、名詞を修飾するための冠詞「ａ」または「ａｎ」の使用は、便宜上、使用され、そうでないことが具体的に述べられない限り、１つまたは１つを上回る修飾される名詞を含むものと理解され得る。
【００９９】
他のものと通信する、それと関連付けられる、および／またはそれに基づくように説明される、および／または別様に図を通して描かれる、要素、構成要素、モジュール、および／またはその一部は、そうでないことが明細書に規定されない限り、直接および／または間接的様式において、そのように通信する、それと関連付けられる、および／またはそれに基づくものと理解され得る。
【０１００】
方法およびシステムが、その具体的実施形態に対して説明されたが、それらは、そのように限定されない。多くの修正および変形例が、上記の教示に照らして、明白となり得る。本明細書に説明および図示される部品の詳細、材料、および配列の多くの付加的変更が、当業者によって行われ得る。
【０１０１】
本発明の好ましい実施形態が説明されたが、ここで、これらの概念を組み込む、他の実施形態も、使用され得ることが、当業者に明白となるであろう。故に、本発明は、説明される実施形態に限定されるべきではなく、むしろ、添付の請求項の精神および範囲のみによって限定されるべきであることが思量される。
【図１】
2020531992.tif 000003
【図２】
2020531992.tif 000004
【図３】
2020531992.tif 000005
【図４Ａ】
2020531992.tif 000006
【図４Ｂ】
2020531992.tif 000007
【図５】
2020531992.tif 000008
【図６】
2020531992.tif 000009
【図７】
2020531992.tif 000010
【図８】
2020531992.tif 000011
【図９】
2020531992.tif 000012
【図１０】
2020531992.tif 000013
【図１１】
2020531992.tif 000014
【図１２Ａ】
2020531992.tif 000015
【図１２Ｂ】
2020531992.tif 000016
【図１３】
2020531992.tif 000017
【図１４】
2020531992.tif 000018
【図１５】
2020531992.tif 000019
【図１６】
2020531992.tif 000020
【図１７】
2020531992.tif 000021
【図１８】
2020531992.tif 000022
【図１９Ａ】
2020531992.tif 000023
【図１９Ｂ】
2020531992.tif 000024
【図２０】
2020531992.tif 000025
【国際調査報告】
2020531992.tif 000026
2020531992.tif 000027
2020531992.tif 000028